(57)【要約】【課題】複数の基板それぞれの独立性を担保しつつ、基板の不正交換や基板間で送受信される制御信号の不正改竄等を防止する。【解決手段】遊技機は、所定の契機に基づいて遊技者に有利な遊技状態付与のための抽選を行い、この抽選結果に応じて遊技を進行する主制御基板と、抽選結果に基づいて遊技者に遊技媒体の払い出しを行う払出制御基板１２０と、払出制御基板から遊技媒体の貸出装置への制御信号を中継する貸出装置端子板１１２と、を備え、払出制御基板および貸出装置端子板には、挿抜方向が基板面と平行となる基板間コネクタ１５０ａ、１５０ｂの対のそれぞれ一方が固定され、払出制御基板と貸出装置端子板とは、基板間コネクタの一方が他方に挿入された状態で一体的に基板ケース１５２に収容される。【選択図】図６
2013176433.tif 000002
【特許請求の範囲】
【請求項１】
所定の契機に基づいて遊技者に有利な遊技状態付与のための抽選を行い、この抽選結果に応じて遊技を進行する主制御基板と、
前記主制御基板の制御指令に基づいて遊技者に遊技媒体の払い出しを行う払出制御基板と、
前記払出制御基板から前記遊技媒体の貸出装置への制御信号を中継する貸出装置端子板と、
を備えた遊技機であって、
前記払出制御基板および前記貸出装置端子板には、挿抜方向が基板面と平行となる基板間コネクタの対のそれぞれ一方が固定され、
前記払出制御基板と前記貸出装置端子板とは、前記基板間コネクタの一方が他方に挿入された状態で一体的に基板ケースに収容されることを特徴とする遊技機。
【請求項２】
前記払出制御基板および前記貸出装置端子板それぞれにおける前記基板間コネクタと反対側の端部と前記基板ケースとの前記挿抜方向の離間距離は、前記基板間コネクタの挿入状態を解除して前記払出制御基板および前記貸出装置端子板のいずれか一方が前記挿抜方向以外の方向に相対移動可能となるストロークより短いことを特徴とする請求項１に記載の遊技機。
【請求項３】
前記払出制御基板および前記貸出装置端子板のいずれか一方または双方には、前記基板面から突出する方向に延伸する基板対電線コネクタが固定され、
前記基板対電線コネクタは、前記払出制御基板と前記貸出装置端子板とが前記基板ケースに収容された状態で前記基板ケースを貫通し、その接続部が前記基板ケースの外側に露出しており、
前記基板対電線コネクタの外周部と前記基板ケースの開口縁との前記挿抜方向の離間距離は、前記基板間コネクタの挿入状態を解除して前記払出制御基板および前記貸出装置端子板のいずれか一方が前記挿抜方向以外の方向に相対移動可能となるストロークより短いことを特徴とする請求項１または２に記載の遊技機。
【発明の詳細な説明】
【技術分野】
【０００１】
本発明は、基板の不正交換や基板間で送受信される制御信号の不正改竄等を防止可能な遊技機に関する。
【背景技術】
【０００２】
一般に、遊技機（パチンコ機）では、遊技者のハンドル操作により遊技盤内の遊技領域に向かって遊技球が発射され、遊技領域を流下した遊技球が始動口に入球したことを条件に特別図柄に係る抽選が実行される。そして、特別図柄表示器において、特別図柄が変動表示され、さらに、電子抽選によって決定された特別図柄が停止表示されることで遊技者に抽選結果が報知される。このとき、特別図柄表示器に大当たりであることを示す特定の図柄が停止表示されると、通常の遊技に比べて遊技者に有利な特別遊技が開始される。この特別遊技では、アタッカー装置が所定の回数開閉し、大入賞口への遊技球の入球が可能となるので、遊技者は多くの賞球の払出を受けることが可能となる。
【０００３】
このような遊技機の内部には、上記の各種遊技動作を制御するための複数の制御基板や各制御基板と外部装置とを接続する複数の端子板が設けられ、制御基板で生成された制御信号を他の制御基板に送受信したり、端子板を通じて外部装置に送受信することで遊技が進行する。しかし、第三者が、このような制御基板や端子板を不正に交換したり、その間になりすまし装置を挿入し、制御基板同士や制御基板と端子板とで送受信される制御信号を不正に改竄したりして、多くの賞球を獲得する等、遊技上の利益を不正に受ける場合がある。
【０００４】
このような不正行為を抑制すべく、例えば、賞球の払出を制御する払出制御基板と、ＣＲユニットとを連結する貸出装置端子板の前面側を基板ケースで覆う技術が公開されている（例えば、特許文献１）。また、主制御基板の機能と払出制御基板の機能とを同一の（一枚の）基板に集約し、１の基板ケースで覆う技術も知られている（例えば、特許文献２）。
【先行技術文献】
【特許文献】
【０００５】
【特許文献１】特開２０１０−２０７３０６号公報
【特許文献２】特開平５−２７７２４７号公報
【発明の概要】
【発明が解決しようとする課題】
【０００６】
しかし、特許文献１の技術のように貸出装置端子板のみを基板ケースで覆っても、払出制御基板と貸出装置端子板とが所謂ハーネスで接続されている以上、そのハーネスに、なりすまし装置を接続されてしまうと不正を防止できないといった問題があった。また、特許文献２の技術のように、一枚の基板に複数の基板の機能を集約すると、複数の基板のうちの１の基板の機能に相当する部分のみを設計変更したり、交換する場合に、正常に動作している他の基板の機能に相当する部分も同時に交換しなくてはならず、コスト面やメンテナンス面の問題があった。
【０００７】
本発明は、このような課題に鑑み、複数の基板それぞれの独立性を担保しつつ、基板の不正交換や基板間で送受信される制御信号の不正改竄等を防止可能な遊技機を提供することを目的としている。
【課題を解決するための手段】
【０００８】
上記課題を解決するために、本発明の遊技機は、所定の契機に基づいて遊技者に有利な遊技状態付与のための抽選を行い、この抽選結果に応じて遊技を進行する主制御基板と、主制御基板の制御指令に基づいて遊技者に遊技媒体の払い出しを行う払出制御基板と、払出制御基板から遊技媒体の貸出装置への制御信号を中継する貸出装置端子板と、を備えた遊技機であって、払出制御基板および貸出装置端子板には、挿抜方向が基板面と平行となる基板間コネクタの対のそれぞれ一方が固定され、払出制御基板と貸出装置端子板とは、基板間コネクタの一方が他方に挿入された状態で一体的に基板ケースに収容されることを特徴とする。
【０００９】
払出制御基板および貸出装置端子板それぞれにおける基板間コネクタと反対側の端部と基板ケースとの挿抜方向の離間距離は、基板間コネクタの挿入状態を解除して払出制御基板および貸出装置端子板のいずれか一方が挿抜方向以外の方向に相対移動可能となるストロークより短くてもよい。
【００１０】
払出制御基板および貸出装置端子板のいずれか一方または双方には、基板面から突出する方向に延伸する基板対電線コネクタが固定され、基板対電線コネクタは、払出制御基板と貸出装置端子板とが基板ケースに収容された状態で基板ケースを貫通し、その接続部が基板ケースの外側に露出しており、基板対電線コネクタの外周部と基板ケースの開口縁との挿抜方向の離間距離は、基板間コネクタの挿入状態を解除して払出制御基板および貸出装置端子板のいずれか一方が挿抜方向以外の方向に相対移動可能となるストロークより短くてもよい。
【発明の効果】
【００１１】
本発明によれば、複数の基板それぞれの独立性を担保しつつ、基板の不正交換や基板間で送受信される制御信号の不正改竄等を防止することが可能となる。
【図面の簡単な説明】
【００１２】
【図１】扉が開放された状態を示す遊技機の斜視図である。
【図２】遊技機の正面図である。
【図３】遊技の進行を制御する制御手段の内部構成を示すブロック図である。
【図４】遊技機の背面図である。
【図５】払出制御基板および貸出装置端子板の概略的なコネクタの配置を説明した説明図である。
【図６】払出制御基板および貸出装置端子板の実装態様を説明した斜視図である。
【図７】払出制御基板および貸出装置端子板の実装態様を説明した斜視図である。
【図８】払出制御基板および貸出装置端子板と基板ケースとの位置関係を説明するための説明図である。
【図９】払出制御基板および貸出装置端子板と基板ケースとの他の位置関係を説明するための説明図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
本発明の実施形態の理解を容易にするため、まず、遊技機の機械的構成および制御手段の内部構成を簡単に説明し、その後、払出制御基板と貸出装置端子板との基板構成について具体的に説明する。
【００１５】
（遊技機の機械的構成）
図１は、本実施形態の遊技機１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠４と、この中枠４と同様に、ヒンジ機構によって外枠２に開閉自在に取り付けられた前枠６と、を備えている。
【００１６】
中枠４は、外枠２と同様に、略矩形状に組まれた四辺によって囲繞空間が形成されており、この囲繞空間に遊技盤８が保持されている。また、前枠６には、ガラス製または樹脂製の透過板１０が保持されている。そして、これら中枠４および前枠６を外枠２に対して閉じると、遊技盤８と透過板１０とが所定の間隔を維持して略平行に対面するとともに、遊技機１の正面側から、透過板１０を介して遊技盤８が視認可能となる。
【００１７】
図２は、遊技機１の正面図である。この図に示すように、前枠６の下部には、遊技機１の正面側に突出する操作ハンドル１２が設けられている。この操作ハンドル１２は、遊技者が回転操作可能に設けられており、遊技者が操作ハンドル１２を回転させて発射操作を行うと、当該操作ハンドル１２の回転角度に応じた強度で、不図示の発射機構によって遊技球が発射される。このようにして発射された遊技球は、遊技盤８に設けられたレール１４ａ、１４ｂ間を上昇して遊技領域１６に導かれることとなる。
【００１８】
遊技領域１６は、遊技盤８と透過板１０との間隔に形成される空間であって、遊技球が流下または転動可能な領域である。遊技盤８には、多数の釘や風車が設けられており、遊技領域１６に導かれた遊技球が釘や風車に衝突して、不規則な方向に流下、転動するようになっている。
【００１９】
また、遊技領域１６には、遊技球が入球可能な一般入賞口１８、第１始動口２０、第２始動口２２が設けられており、これら一般入賞口１８、第１始動口２０、第２始動口２２に遊技球が入球すると、それぞれ所定の賞球が遊技者に払い出される。
【００２０】
なお、第１始動口２０または第２始動口２２に遊技球が入球すると、予め設けられた複数の特別図柄の中からいずれか１の特別図柄を決定するための抽選が行われる。各特別図柄には、遊技者にとって有利な特別遊技の実行可否や、以後の遊技状態をどのような遊技状態にするかといった種々の遊技利益（状態）が対応付けられている。したがって、遊技者は、第１始動口２０または第２始動口２２に遊技球が入球すると、所定の賞球を獲得するのと同時に、種々の遊技利益を受ける権利獲得の機会を獲得することとなる。
【００２１】
また、第２始動口２２には、一対の可動片２２ｂが開閉可能に設けられており、この可動片２２ｂの状態に応じて、第２始動口２２への遊技球の進入容易性が変化するようになっている。具体的には、第２始動口２２の上方には突起部２３が設けられており、一対の可動片２２ｂが閉状態にあるときには、この突起部２３によって第２始動口２２への遊技球の入球が不可能もしくは困難となっている。
【００２２】
これに対して、遊技領域１６に設けられたゲート２４を遊技球が通過すると、後述する普通図柄の抽選が行われ、この抽選によって当たりに当選すると、可動片２２ｂが所定時間、開状態に制御される。このように、可動片２２ｂが開状態になると、当該可動片２２ｂが遊技球を第２始動口２２に導く案内部材として機能し、第２始動口２２への遊技球の入球が容易となる。
【００２３】
さらに、第１始動口２０および第２始動口２２よりも下方にはアタッカー装置２６が設けられている。このアタッカー装置２６は、遊技球が入球可能な大入賞口２８と、この大入賞口２８を開閉する開閉扉２８ｂと、を備えており、通常、開閉扉２８ｂが大入賞口２８を閉扉して、大入賞口２８への遊技球の入球が不可能となっている。これに対して、前述の特別遊技が実行されると、開閉扉２８ｂが開扉して、大入賞口２８への遊技球の入球が可能となる。そして、大入賞口２８に遊技球が入球すると、所定の賞球が遊技者に払い出される。
【００２４】
なお、遊技領域１６の最下部には、一般入賞口１８、第１始動口２０、第２始動口２２、大入賞口２８のいずれにも入球しなかった遊技球を、遊技領域１６から遊技盤８の背面側に排出する排出口３０が設けられている。
【００２５】
そして、遊技盤８には、遊技の進行中等に演出を行う演出装置として、液晶表示装置からなる演出表示装置５０と、可動装置からなる演出役物装置５２とが設けられている。演出表示装置５０は、画像を表示する演出表示部５０ａを備えており、この演出表示部５０ａを、遊技盤８の略中央部分において、遊技機１の正面側から視認可能に配置している。この演出表示部５０ａには、図示のように演出図柄４０ａ、４０ｂ、４０ｃが変動表示され、これら各演出図柄４０ａ、４０ｂ、４０ｃの停止表示態様によって大当たりの抽選結果が遊技者に報知されることとなる。
【００２６】
また、演出表示部５０ａの上方に位置する演出役物装置５２は、上記の演出図柄４０ａ、４０ｂ、４０ｃの変動表示中などに可動して、遊技者に大当たりの期待感を付与するものである。
【００２７】
また、遊技盤８には、点灯態様や発光色をさまざまに制御して演出を行うためのランプからなる演出照明装置５４が設けられている。さらに、遊技機１の幅方向略中央位置であって、かつ、透過板１０よりも下方位置には、遊技者の押下操作を受け付けるボタンからなる演出操作装置５６が設けられている。そして、前枠６の上部位置や外枠２の最下部位置には、遊技機１の正面側に向けられたスピーカからなる音声出力装置５８が設けられている。
【００２８】
なお、図中符号７０は、遊技機１から払い出される賞球や、遊技球貸出装置（遊技媒体の貸出装置）から貸し出される遊技球が導かれる上皿であり、この上皿７０が遊技球で一杯になると、遊技球は下皿７２に導かれることとなる。また、この下皿７２の底面には、当該下皿７２から遊技球を排出するための球抜き孔（不図示）が形成されている。この球抜き孔は、通常、開閉板（不図示）によって閉じられているが、球抜きつまみ７２ａを図中左右いずれか一方向にスライドさせることにより、当該球抜きつまみ７２ａと一体となって開閉板がスライドし、球抜き孔から下皿７２の下方に遊技球を排出することが可能となっている。
【００２９】
また、遊技盤８には、遊技領域１６の外方であって、かつ、遊技者が視認可能な位置に、第１特別図柄表示器８０、第２特別図柄表示器８２、第１特別図柄保留表示器８４、第２特別図柄保留表示器８６、普通図柄表示器８８、普通図柄保留表示器９０が設けられている。これら各表示器８０〜９０は、遊技に係る種々の状況を表示するための装置である。
【００３０】
（制御手段の内部構成）
図３は、遊技の進行を制御する制御手段の内部構成を示すブロック図であり、図４は、遊技機１の背面図である。
【００３１】
（主制御基板１００）
主制御基板１００は遊技の基本動作を制御し、例えば、所定の契機に基づいて遊技者に有利な遊技状態付与のための抽選を行い、この抽選結果に応じて遊技を進行する。この主制御基板１００は、メインＣＰＵ１００ａ、メインＲＯＭ１００ｂ、メインＲＡＭ１００ｃを備えている。メインＣＰＵ１００ａは、各検出スイッチやタイマからの入力信号に基づいて、メインＲＯＭ１００ｂに格納されたプログラムを読み出して演算処理を行うとともに、各装置や表示器を直接制御したり、あるいは演算処理の結果に応じて他の基板にコマンド（制御指令）を送信したりする。メインＲＡＭ１００ｃは、メインＣＰＵ１００ａの演算処理時におけるデータのワークエリアとして機能する。
【００３２】
上記主制御基板１００には、一般入賞口１８に遊技球が入球したことを検出する一般入賞口検出スイッチ１８ａ、第１始動口２０に遊技球が入球したことを検出する第１始動口検出スイッチ２０ａ、第２始動口２２に遊技球が入球したことを検出する第２始動口検出スイッチ２２ａ、ゲート２４を遊技球が通過したことを検出するゲート検出スイッチ２４ａ、大入賞口２８に遊技球が入球したことを検出する大入賞口検出スイッチ２８ａが接続されており、これら各検出スイッチから主制御基板１００に検出信号が入力されるようになっている。
【００３３】
また、主制御基板１００には、第２始動口２２の可動片２２ｂを作動する始動口開閉ソレノイド２２ｃと、大入賞口２８を開閉する開閉扉２８ｂを作動する大入賞口開閉ソレノイド２８ｃと、が接続されており、主制御基板１００によって、第２始動口２２および大入賞口２８の開閉制御がなされるようになっている。
【００３４】
さらに、主制御基板１００には、第１特別図柄表示器８０、第２特別図柄表示器８２、第１特別図柄保留表示器８４、第２特別図柄保留表示器８６、普通図柄表示器８８、普通図柄保留表示器９０が接続されており、主制御基板１００によって、これら各表示器の表示制御がなされるようになっている。
【００３５】
また、本実施形態の遊技機１では、主に第１始動口２０または第２始動口２２への遊技球の入球によって特別図柄遊技が開始され、ゲート２４を遊技球が通過することによって普通図柄遊技が開始される。そして、主制御基板１００のメインＲＯＭ１００ｂには、特別図柄遊技および普通図柄遊技を進行するための種々のプログラムや、各種の遊技に必要なデータ、テーブルが記憶されている。
【００３６】
また、主制御基板１００には、副制御基板２００および払出制御基板１２０が接続されている。
【００３７】
（副制御基板２００）
副制御基板２００は、主に遊技中や待機中等の各演出を制御する。この副制御基板２００は、サブＣＰＵ２００ａ、サブＲＯＭ２００ｂ、サブＲＡＭ２００ｃを備えており、主制御基板１００に対して、当該主制御基板１００から副制御基板２００への一方向に通信可能に接続されている。サブＣＰＵ２００ａは、主制御基板１００から送信されたコマンドやタイマからの入力信号等に基づいて、サブＲＯＭ２００ｂに格納されたプログラムを読み出して演算処理を行うとともに、演出を実行するためのコマンドを、画像制御基板２１０または電飾制御基板２２０に送信する。このとき、サブＲＡＭ２００ｃは、サブＣＰＵ２００ａの演算処理時におけるデータのワークエリアとして機能する。
【００３８】
画像制御基板２１０は、上記演出表示部５０ａに画像を表示させる画像表示制御を行うものであり、ＣＰＵ、ＲＯＭ、ＲＡＭ、ＶＲＡＭ（図示せず）を備えている。この画像制御基板２１０のＲＯＭには、演出表示部５０ａに表示される図柄や背景等の画像データが多数格納されており、副制御基板２００から送信されたコマンドに基づいて、ＣＰＵが、画像データをＲＯＭからＶＲＡＭに読み出して、演出表示部５０ａの画像表示を制御する。
【００３９】
電飾制御基板２２０は、副制御基板２００から送信されたコマンドに基づいて、音声出力装置５８から音声を出力させる音声出力制御を行う。また、電飾制御基板２２０は、副制御基板２００から送信されるコマンドに基づいて、演出役物装置５２を可動したり演出照明装置５４を点灯制御したりする。さらには、演出操作装置５６が押下操作されたことを検出する演出操作装置検出スイッチ５６ａから操作検出信号が入力された際に、所定のコマンドを副制御基板２００に送信する。
【００４０】
（払出制御基板１２０）
払出制御基板１２０は、遊技球を発射させるための制御、および、賞球を払い出すための制御を行う。この払出制御基板１２０も、ＣＰＵ、ＲＯＭ、ＲＡＭを備えており（図示せず）、主制御基板１００に対して双方向に通信可能に接続されている。この払出制御基板１２０には遊技情報出力端子板１１０および貸出装置端子板１１２が接続されており、主制御基板１００から出力される遊技進行上の種々の情報が、払出制御基板１２０および遊技情報出力端子板１１０を介して、遊技店のホールコンピュータ等に出力されるとともに、払出制御基板１２０および貸出装置端子板１１２を介して、遊技機１に付設される遊技球貸出装置等に出力されることとなる。遊技情報出力端子板１１０や貸出装置端子板１１２には、制御信号を安定的に送信するためのプルアップ抵抗が施され、過負荷電流から各回路を守るための電力ヒューズを備える。また、本実施形態において、払出制御基板１２０と貸出装置端子板１１２とは、基板間コネクタによって直接接続され、図４に示すように、１の基板ケース１５２に収容されている。
【００４１】
また、払出制御基板１２０には、貯留部に貯留された遊技球を賞球として遊技者に払い出すための払出モータ１２１が接続されている。払出制御基板１２０は、主制御基板１００から送信された払出個数指定コマンドに基づいて払出モータ１２１を制御して所定の賞球を遊技者に払い出すように制御する。このとき、払い出された遊技球数が払出球計数スイッチ１２２によって検出され、払い出すべき賞球が遊技者に払い出されたかが把握されるようになっている。
【００４２】
また、払出制御基板１２０には、下皿７２の満タン状態を検出する皿満タン検出スイッチ１２３が接続されている。この皿満タン検出スイッチ１２３は、賞球として払い出される遊技球を下皿７２に導く通路に設けられており、当該通路を遊技球が通過するたびに、遊技球検出信号が払出制御基板１２０に入力されるようになっている。
【００４３】
そして、下皿７２に所定量以上の遊技球が貯留されて満タン状態になると、下皿７２に向かう通路内に遊技球が滞留し、皿満タン検出スイッチ１２３から払出制御基板１２０に向けて、遊技球検出信号が連続的に入力される。払出制御基板１２０は、遊技球検出信号が所定時間連続して入力された場合に、下皿７２が満タン状態であると判断し、皿満タンコマンドを主制御基板１００に送信する。一方、皿満タンコマンドを送信した後、遊技球検出信号の連続入力が途絶えた場合には、満タン状態が解除されたと判断し、皿満タン解除コマンドを主制御基板１００に送信する。
【００４４】
また、払出制御基板１２０には、発射制御基板１３０が双方向に通信可能に接続されている。この発射制御基板１３０は、払出制御基板１２０から発射制御データを受信すると発射の許可を行う。この発射制御基板１３０には、操作ハンドル１２に設けられ、当該操作ハンドル１２に遊技者が触れたことを検出するタッチセンサ１２ａと、操作ハンドル１２の操作角度を検出する操作ボリューム１２ｂと、が接続されている。そして、タッチセンサ１２ａおよび操作ボリューム１２ｂから信号が入力されると、発射制御基板１３０において、遊技球発射装置に設けられた発射用ソレノイド１３１を通電して遊技球を発射させる制御がなされる。
【００４５】
なお、各基板には、不図示の電源基板が接続されている。この電源基板は、コンデンサからなるバックアップ電源を備えており、遊技機に供給する電源電圧を監視し、電源電圧が所定値以下となったときに、電断検知信号を主制御基板１００に出力する。そして、主制御基板１００は、電断検知信号を受信すると、遊技に係る種々の情報をバックアップデータ記憶領域に記憶させた後に、遊技を中断するための処理を実行する。
【００４６】
（払出制御基板１２０と貸出装置端子板１１２との基板構成）
このように、遊技機１では、複数の制御基板や端子板を通じて制御信号が送受信されることで遊技が進行する。しかし、各制御基板や端子板が独立して設けられ、比較的容易に加工できるハーネス等で基板間を接続していたため、第三者が、このような制御基板や端子板を不正に交換したり、その間になりすまし装置を挿入して、制御基板同士や制御基板と端子板とで送受信される制御信号を不正に改竄するおそれがあった。
【００４７】
上述したように、払出制御基板１２０は、主制御基板１００と直接接続され、遊技球を発射させるための制御や賞球を払い出すための制御等、遊技者の遊技上の利益である賞球を管理する重要な役割を担っている。かかる主制御基板１００と払出制御基板１２０との接続においては、遊技機１下で管理されるため、不正を防止する手段、例えば、第三者は知り得ない認証コード等を双方に新設し、その認証コードを相互に確認するといった手段をとることで、不正を抑制することができる。
【００４８】
しかし、払出制御基板１２０と貸出装置端子板１１２との接続は、遊技機１下で管理されてはいるものの、貸出装置端子板１１２がＣＰＵを有さない単なる端子板であることから、不正を防止する制御的な手段を設けることができない。たとえ貸出装置端子板１１２がＣＰＵを備えていたとしても、払出制御基板１２０と外部装置との間では規格に準じた制御信号しか送受信できないので、上記の認証コード等を採用することができない。したがって、貸出装置端子板１１２自体や、払出制御基板１２０と貸出装置端子板１１２との間は、払出制御基板１２０自体や、主制御基板１００と払出制御基板１２０との間と比較して、不正を施す対象となり易かった。
【００４９】
そこで、本実施形態では、上述したように、払出制御基板１２０と貸出装置端子板１１２とを一体的に設け、基板ケース１５２に収容（封入）する。
【００５０】
図５は、払出制御基板１２０および貸出装置端子板１１２の概略的なコネクタの配置を説明した説明図である。払出制御基板１２０には、主として、貸出装置端子板１１２との信号線を担う基板間コネクタ１５０ａ、電源の給電を受ける基板対電線コネクタ１７０ａ、中枠４や前枠６の開放に関する情報を受ける基板対電線コネクタ１７０ｂ、発射制御基板１３０との信号線を担う基板対電線コネクタ１７０ｃ、主制御基板１００との信号線を担う基板対電線コネクタ１７０ｄ、遊技情報出力端子板１１０との信号線を担う基板対電線コネクタ１７０ｅ、遊技球の貸出や精算に関する情報を受ける基板対電線コネクタ１７０ｆが設けられる。貸出装置端子板１１２には、払出制御基板１２０との信号線を担う基板間コネクタ１５０ｂ、遊技球貸出装置との信号線を担う基板対電線コネクタ１６０が設けられる。
【００５１】
図６および図７は、払出制御基板１２０および貸出装置端子板１１２の実装態様を説明した斜視図である。払出制御基板１２０の基板間コネクタ１５０ａおよび貸出装置端子板１１２の基板間コネクタ１５０ｂはそれぞれハーネスやソケットを介すことなくハンダ付け等により固定されている。そして、基板間コネクタ１５０ａと基板間コネクタ１５０ｂとは、図６に示すように対をなし、基板面と平行となる方向（図６で白抜き両矢印で示した挿抜方向）に挿抜できる。
【００５２】
かかる払出制御基板１２０および貸出装置端子板１１２を遊技機１に組み込む際には、まず、基板間コネクタ１５０ａに基板間コネクタ１５０ｂを挿入することで、払出制御基板１２０と貸出装置端子板１１２とを結合基板として一体的に形成する。そして、その結合基板を基板ケース１５２の前面部位１５２ａに収容し、基板ケース１５２の前面部位１５２ａに払出制御基板１２０の背面からビス１５４で固定する。
【００５３】
基板ケース１５２の前面部位１５２ａは、図７に示すように、遊技機１に固定された基板ケース１５２の背面部位１５２ｂと対になっており、基板ケース１５２の背面部位１５２ｂのスライド溝１５２ｃに、前面部位１５２ａのスライドレール１５２ｄを嵌合し、図７中破線矢印で示すようにスライドさせることで、前面部位１５２ａの背面部位１５２ｂに対する正面方向の移動を抑制する。そして、基板ケース１５２の背面部位１５２ｂのストッパ１５２ｅに前面部位１５２ａが当接した位置で正面側からビス１５８でかしめる。こうして、払出制御基板１２０および貸出装置端子板１１２が、基板ケース１５２の前面部位１５２ａと背面部位１５２ｂの間に封入されることとなる。
【００５４】
払出制御基板１２０と貸出装置端子板１１２とは、従来、独立して遊技機１に固定されていたので、それぞれに基板ケースを準備する必要があったが、ここでは、払出制御基板１２０と貸出装置端子板１１２とを一体的に形成しているので、１の基板ケース１５２で両基板を封入することができる。
【００５５】
このように構造物やかしめ機構の点数を削減することでコストを低減でき、また、遊技機１の背面において、貸出装置端子板１１２のみを基板ケースで封入するための占有空間が空くので、設計の自由度を高めることができる。さらに、払出制御基板１２０と貸出装置端子板１１２の接続部分を密封することで、基板の不正交換や基板間で送受信される制御信号の不正改竄を防止することが可能となる。
【００５６】
また、上述したように、払出制御基板１２０と貸出装置端子板１１２とは、基板間コネクタ１５０ａと基板間コネクタ１５０ｂとを通じて挿抜可能に基板対基板接続がなされている。したがって、払出制御基板１２０や貸出装置端子板１１２にそれぞれ個別に設計変更が生じた場合においても、その対象となる基板のみを変更すれば足り、他の基板は変更しないで済む。
【００５７】
また、貸出装置端子板１１２と遊技球貸出装置とは規格に準じた接続がなされ、貸出装置端子板１１２には、かかる規格に応じてＤ−ｓｕｂコネクタを設けなければならない。Ｄ−ｓｕｂコネクタは他のコネクタと比べ挿抜において強い押圧力を要し、接続状態の維持にも高いストレスが生じるため、貸出装置端子板１１２のみが故障する可能性がある。かかる場合においても、基板ケース１５２を開放できる状態において、貸出装置端子板１１２のみを交換すれば足りる。このように、両基板を挿抜可能に基板対基板接続することで、基板同士の独立性を担保してコストの低減を図りつつ、メンテナンス性を高めることができる。
【００５８】
また、上述したように、払出制御基板１２０および貸出装置端子板１１２は、基板間コネクタ１５０ａおよび基板間コネクタ１５０ｂによって高い剛性で接続されているので、振動等により接触不良が生じ易いハーネスと比べ制御信号伝達の高い信頼性を維持することができる。また、基板間コネクタ１５０ａ、１５０ｂは、ハーネスと比較して容易に変形させたり、取り回しを変えたりすることができないので、不正行為がなされ難い。さらに、基板間コネクタ１５０ａ、１５０ｂは、熱に弱いハーネスに比べ耐熱性が高いので、密封された状態下で、払出制御基板１２０や貸出装置端子板１１２が集積回路等の動作により発熱したとしても問題とならない。
【００５９】
また、払出制御基板１２０と貸出装置端子板１１２とは、基板間コネクタ１５０ａ、１５０ｂの挿抜構造により、容易に接続を解除することができるので、設計時やデバッグ時に、一方の基板の基板間コネクタから容易に制御信号を抽出することができる。
【００６０】
以上の説明では、払出制御基板１２０と貸出装置端子板１１２との接続に基づく不正行為の防止やメンテナンス性について述べたが、払出制御基板１２０および貸出装置端子板１１２と基板ケース１５２との位置関係によっても不正行為を防止できる。
【００６１】
図８は、払出制御基板１２０および貸出装置端子板１１２と基板ケース１５２との位置関係を説明するための説明図である。特に、図８（ｃ）では、払出制御基板１２０および貸出装置端子板１１２と、基板ケース１５２の縦断面との位置関係を示している。
【００６２】
例えば、基板間コネクタ１５０ａ、１５０ｂが抜けるまでのストロークより、即ち、図８（ａ）に示した、基板間コネクタ１５０ａ、１５０ｂの一方が他方に挿入されたとき（通電可能なとき）の払出制御基板１２０と貸出装置端子板１１２との挿抜方向の離間距離ｄ１と、図８（ｂ）に示した、基板間コネクタ１５０ａ、１５０ｂの挿入状態（通電状態）を解除して払出制御基板１２０および貸出装置端子板１１２のいずれか一方が挿抜方向以外の方向に相対移動可能となる挿抜方向の離間距離ｄ２との差分（ｄ２−ｄ１）より、図８（ｃ）に示した、基板間コネクタ１５０ａ、１５０ｂの一方が他方に挿入された場合の、払出制御基板１２０および貸出装置端子板１１２それぞれにおける基板間コネクタ１５０ａ、１５０ｂと反対側の端部（図８中、払出制御基板１２０の左側または貸出装置端子板１１２の右側）と基板ケース１５２との挿抜方向の離間距離ｄ３を短くする。
【００６３】
こうすることで、払出制御基板１２０および貸出装置端子板１１２が基板ケース１５２に収容されている状態では、各基板の挿抜方向の移動が制限されるので、不正者が、たとえ一方の基板の固定を解除し挿抜方向に移動させることができたとしても、基板が基板ケース１５２に衝突し、基板間コネクタ１５０ａ、１５０ｂが挿抜方向以外の方向には移動することができない。そうすると、不正者は、基板間コネクタ１５０ａ、１５０ｂ間になりすまし装置を挿入するどころか、基板間コネクタ１５０ａ、１５０ｂの端子に接触することもできず、不正を防止することが可能となる。
【００６４】
図９は、払出制御基板１２０および貸出装置端子板１１２と基板ケース１５２との他の位置関係を説明するための説明図である。貸出装置端子板１１２には、基板面から突出する方向（ここでは基板面から垂直方向）に延伸する基板対電線コネクタ１６０が固定されている。そして、基板対電線コネクタ１６０は、払出制御基板１２０と貸出装置端子板１１２とが基板ケース１５２に収容された状態で基板ケース１５２に設けられた貫通孔１６２を通じて貫通し、その接続部１６０ａが基板ケース１５２の外側に露出している。
【００６５】
例えば、基板間コネクタ１５０ａ、１５０ｂが抜けるまでのストロークより、即ち、図８（ａ）に示した、基板間コネクタ１５０ａ、１５０ｂの一方が他方に挿入されたときの払出制御基板１２０と貸出装置端子板１１２との挿抜方向の離間距離ｄ１と、図８（ｂ）に示した、基板間コネクタ１５０ａ、１５０ｂの挿入状態を解除して払出制御基板１２０および貸出装置端子板１１２のいずれか一方が挿抜方向以外の方向に相対移動可能となる挿抜方向の離間距離ｄ２との差分（ｄ２−ｄ１）より、図９に示した、基板間コネクタ１５０ａ、１５０ｂの一方が他方に挿入された場合の、基板対電線コネクタ１６０の外周部１６０ｂにおける基板間コネクタ１５０ａ、１５０ｂと反対側の面（図９中、基板対電線コネクタ１６０の右側）と基板ケース１５２の貫通孔１６２の開口縁１６２ａとの挿抜方向の離間距離ｄ４を短くする。
【００６６】
こうすることで、図８を用いて説明したのと同様、払出制御基板１２０および貸出装置端子板１１２が基板ケース１５２に収容されている状態では、各基板の挿抜方向の移動が制限され、不正者が、基板を移動しようとしても、基板対電線コネクタ１６０が基板ケース１５２の貫通孔１６２の開口縁１６２ａに衝突し基板間コネクタ１５０ａ、１５０ｂが挿抜方向以外の方向には移動することができない。こうして不正を防止することが可能となる。ここでは、基板対電線コネクタ１６０について言及しているが、他の基板対電線コネクタ１７０ａ、１７０ｂ、１７０ｃ、１７０ｄ、１７０ｅ、１７０ｆに関しても同様な構造とする。
【００６７】
以上のように、本実施形態によれば、複数の基板を基板間コネクタ１５０ａ、１５０ｂで直接接続することで、その基板同士の独立性を担保し、１の基板ケース１５２で覆うことで基板の不正交換や基板間で送受信される制御信号の不正改竄等を防止することが可能となる。
【００６８】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【００６９】
１  …遊技機
１００  …主制御基板
１１２  …貸出装置端子板
１２０  …払出制御基板
１５０ａ、１５０ｂ  …基板間コネクタ
１５２  …基板ケース
１６０  …基板対電線コネクタ
１６０ａ  …接続部
１６０ｂ  …外周部
１６２  …貫通孔
１６２ａ  …開口縁
【図１】
2013176433.tif 000003
【図２】
2013176433.tif 000004
【図３】
2013176433.tif 000005
【図４】
2013176433.tif 000006
【図５】
2013176433.tif 000007
【図６】
2013176433.tif 000008
【図７】
2013176433.tif 000009
【図８】
2013176433.tif 000010
【図９】
2013176433.tif 000011